(57)【特許請求の範囲】
【請求項１】
天面部，底面部，および上記天面部の周縁と上記底面部の周縁とを結ぶ側壁面部を備え，上記天面部に形成された天面破断線に沿って上記天面部の少なくとも一部を裂くことによって上記天面部の少なくとも一部を開閉部分として閉鎖可能に開口させる紙箱であって，
上記側壁面部の一部が，上記側壁面部に形成された，上記天面破断線に連続する側壁面破断線によって外形が規定される，上記天面部の開閉部分とつながる押込み片を構成しており，
上記押込み片が紙箱の内がわに向けて押込まれて上記側壁面破断線に沿って裂かれたときに紙箱の内がわに向けて押されることで両がわに向けてそれぞれ撓みを生じる部分を有しており，かつ上記開閉部分が閉鎖されるときに上記押込み片が差込まれる切込みが形成されている撓み片が，上記押込み片を有する側壁面部の内がわ面に沿って設けられており，
上記撓み片が，上記押込み片を有する側壁面部の一側がわから延びる第１の撓み半片と，上記押込み片を有する側壁面部の他側がわから延びる第２の撓み半片とから構成され，
上記押込み片に対応する位置において，上記第１の撓み半片の先端部分と第２の撓み半片の先端部分とが互いに向き合って位置しており，上記先端部分を除いて上記第１および第２の撓み半片が上記押込み片を有する側壁面部の内がわ面に接着されている，
紙箱。
【請求項２】
天面部，底面部，および上記天面部の周縁と上記底面部の周縁とを結ぶ側壁面部を備え，上記天面部に形成された天面破断線に沿って上記天面部の少なくとも一部を裂くことによって上記天面部の少なくとも一部を開閉部分として閉鎖可能に開口させる紙箱であって，
上記側壁面部の一部が，上記側壁面部に形成された，上記天面破断線に連続する側壁面破断線によって外形が規定される，上記天面部の開閉部分とつながる押込み片を構成しており，
上記押込み片が紙箱の内がわに向けて押込まれて上記側壁面破断線に沿って裂かれたときに紙箱の内がわに向けて押されることで両がわに向けてそれぞれ撓みを生じる部分を有しており，かつ上記開閉部分が閉鎖されるときに上記押込み片が差込まれる切込みが形成されている撓み片が，上記押込み片を有する側壁面部の内がわ面に沿って設けられており，
上記天面部が方形であり，
上記天面部の四辺にそれぞれ折り線を介して連設された上記第１〜第４の４つの側壁面部分によって上記紙箱の側壁面部が構成され，
上記第１〜第４の側壁面部分のそれぞれに折り線を介してさらに連設された第１〜第４の底面部分によって紙箱の底面部が構成されている，
紙箱。
【請求項３】
上記撓み片が，上記押込み片の押込みが無くなったときに元の位置に戻る弾性を有している，
請求項１または２に記載の紙箱。
【請求項４】
天面部，底面部，および上記天面部の周縁と上記底面部の周縁とを結ぶ側壁面部を備え，上記天面部に形成された天面破断線に沿って上記天面部の少なくとも一部を裂くことによって上記天面部の少なくとも一部を開閉部分として閉鎖可能に開口させる紙箱をつくるためのブランクであって，
上記天面破断線が形成された方形の天面部，
上記天面部の四辺に折り線を介してそれぞれ連設された方形の第１〜第４の側壁面部分，ならびに
上記第１〜第４の側壁面部分のそれぞれに折り線を介してさらに連設され，先端部分が互いに接着される三角形の第１〜第４の底面部分を備え，
上記第１の側壁面部分の一部が，上記第１の側壁面部分に形成された上記天面破断線に連続する側壁面破断線によって外形が規定される，上記天面部の開閉部分とつながる押込み片を構成しており，
上記第１の側壁面部分に隣接する第２，第３の側壁面部の同じがわの一側にそれぞれ折り線を介して連設されており，組み立てられるときに上記第１の側壁面部分の内がわ面に先端部分を除いて接着されかつその先端部分に上記開閉部分が閉鎖されるときに上記押込み片が差込まれる切込みが形成された第１および第２の撓み半片，ならびに
上記第１の側壁面部分に隣接する第２，第３の側壁面部分の同じがわの他側にそれぞれ折り線を介して連設されており，組み立てられるときに上記第１の側壁面部分に対向する第４の側壁面部分の内がわ面に沿って設けられる第１および第２のフラップをさらに備えている，
紙箱ブランク。
【請求項５】
少なくとも上記第１および第２の撓み半片が弾性を有している，請求項４に記載の紙箱ブランク。
【発明の詳細な説明】
【技術分野】
【０００１】
この発明は紙箱および紙箱ブランクに関する。
【背景技術】
【０００２】
チョコレート，飴，ラムネ等の一口サイズの菓子を，所定数ずつ紙箱内に収納して紙箱単位で販売することがある。このような紙箱は，一般に開封時に完全には解体されずに，残った菓子を収納するためにリクローズできるようにしたものが多い（たとえば特許文献１）。
【先行技術文献】
【特許文献】
【０００３】
【特許文献１】特開２０００−９５２３９号公報
【０００４】
図７はリクローズ構造を持つ従来の紙箱のブランク（展開図）50Ａを，図８は図７のブランク50Ａから組立てられた紙箱50Ｂの斜視図をそれぞれ示している。
【０００５】
図７を参照して，紙箱50Ｂを形成するためのブランク50Ａは方形の底面部31を備えている。底面部31の左右に内がわ左右側壁面部32が，上下（前後）に後側壁面部35および内がわ前側壁面部33が，それぞれ折り線を介して連設されている。後側壁面部35にはさらに天面部37が折り線を介して連設されている。天面部37にさらに外がわ前側壁面部39が折り線を介して連設され，天面部37の左右にはそれぞれ外がわ左右側壁面部38が折り線を介して連設されている。さらに，内がわ前側壁面部33の左右に折り線を介して差込みパネル34が連設され，内がわ前側壁面部33の先端には飾りパネル42が折り線を介して連設されている。後側壁面部35の左右にも折り線を介して差込みパネル36が連設されている。
【０００６】
底面部31の四辺につながる内がわ前側壁面部33，後側壁面部35，および左右対称の内がわ左右側壁面部32をそれぞれ折り線に沿って直角に折曲げ，内がわ前側壁面部33の左右および後側壁面部35の左右につながる差込みパネル34，36もそれぞれ折り線に沿って直角に折曲げる。内がわ前側壁面部33の先端につながる飾りパネル42も折り線に沿って直角に折り曲げる。内がわ左右側壁面部32に形成された合計４つの切込み32ａのそれぞれに，内がわ前側壁面部33の左右の２つの差込みパネル34および後側壁面部35の左右の２つの差込みパネル36をそれぞれ差込んで係合する。底面部31，内がわ前側壁面部33，内がわ左右側壁面部32，および後側壁面部35から構成される天面が開口した箱体が組み立てられる。飾りパネル42は箱体の開口の一部を覆う。
【０００７】
次に，後側壁面部35につながる天面部37，天面部37の先端につながる外がわ前側壁面部39，天面部37の左右につながる外がわ左右側壁面部38もそれぞれ折り線に沿って直角に折り曲げ，外がわ前側壁面部39（後述する閉鎖部分39Ａを除く範囲）と内がわ前側壁面部33，外がわ左右側壁面部38と内がわ左右側壁面部32をそれぞれ接着する。これにより天面開口が天面部37によって閉じられて，前側および左右側に二重の側壁を備える紙箱50Ｂが完成する。
【０００８】
図７を参照して，天面部37から外がわ前側壁面部39にかけて，２本の破断線（ミシン目）ｍが間隔をあけて形成されている。２本の破断線ｍは天面部37上において互いに平行であり，２本の破断線ｍの先端を結ぶように天面部37上には折り目ｆが形成されている。また，外がわ前側壁面部39において２本の破断線ｍは途中で互いに近づき，互いに離れたままで外がわ前側壁面部39の先端にまで至っている。天面部37において２本の破断線ｍおよび折り目によって囲まれる範囲を開閉部分37Ａと呼ぶ。外がわ前側壁面部39において２本の破断線ｍによって囲まれる範囲を閉鎖部分39Ａと呼ぶ。閉鎖部分39Ａの先端部分を特に摘み部40と呼ぶ。
【０００９】
図８を参照して，組み立てられた紙箱50Ｂにおいて，紙箱50Ｂの前壁（外がわ前側壁面部39）の下端に摘み部40が位置している。この摘み部40を指で摘んで引っぱり，上方に引き上げることで破断線ｍに沿って閉鎖部分39Ａが裂け，続いて摘み部40を紙箱50Ｂの後ろがわに向けて移動させると，破断線ｍに沿って開閉部分37Ａが裂けて紙箱50Ｂの天面が開口する（プルオープン）。開閉部分37Ａは折り目ｆにおいて折り曲げられる。
【００１０】
上記摘み部40に弧状の切込みによって差込み片40ａが形成されている。この差込み片40ａが，内がわ前側壁面部33に入れられた切込み33ａ（図７参照）に差込まれることで，上記開閉部分37Ａによる天面開口のリクローズが簡易に保持される。
【００１１】
図９は変形例の紙箱のブランク（展開図）60Ａを，図１０は図９のブランク60Ａから組立てられる紙箱60Ｂの斜視図をそれぞれ示している。図７に示すブランク50Ａおよび図８の紙箱50Ｂとは，外がわ前側壁面部39，内がわ左右側壁面部32および外がわ左右側壁面部38の幅が狭い点，摘み部40が差込まれる内がわ前側壁面部33の切込み33ａの形成位置，および飾りパネルが形成されていない点が異なる。変形例の紙箱60Ｂも，摘み部40を引っぱり，その後移動させることで開封されるプルオープンのタイプである。図７のブランク50Ａに比べて，図９のブランク60Ａは約１５％程度の省面積化を図ることができている。
【００１２】
摘み部40を引っぱって開封するプルオープン・タイプの紙箱50Ｂ，60Ｂでは，開封に際して，最初に摘み部40に爪ないし指を引っかけることが必要とされる。摘み部40と摘み部40が位置する側壁面部33との間にはほとんど隙間が無いので，摘み部40に爪ないし指をかけるとき（摘み部40を摘むまで）にやや手間がかかることがある。
【発明の開示】
【００１３】
この発明は，リクローズ構造を有しつつ，より開封しやすい新規な開封構造を持つ紙箱を提供することを目的とする。
【００１４】
この発明はまた，省面積化がさらに図られた，上述の新規な開封構造を持つ紙箱を作成するための紙箱ブランクを提供することを目的とする。
【００１５】
この発明による紙箱は，天面部，底面部，および上記天面部の周縁と上記底面部の周縁とを結ぶ側壁面部を備え，上記天面部に形成された天面破断線に沿って上記天面部の少なくとも一部を裂くことによって上記天面部の少なくとも一部を開閉部分として閉鎖可能に開口させるものであって，上記側壁面部の一部が，上記側壁面部に形成された，上記天面破断線に連続する側壁面破断線によって外形が規定される，上記天面部の開閉部分とつながる押込み片を構成しており，上記押込み片が紙箱の内がわに向けて押込まれて上記側壁面破断線に沿って裂かれたときに紙箱の内がわに向けて押されることで両がわに向けてそれぞれ撓みを生じる部分を有しており，かつ上記開閉部分が閉鎖されるときに上記押込み片が差込まれる切込みが形成されている撓み片が，上記押込み片を有する側壁面部の内がわ面に沿って設けられていることを特徴とする。
【００１６】
この発明による紙箱は，側壁面部の一部を構成する押込み片を紙箱の内がわに向けて押込んで上記側壁面破断線に沿って押込み片を裂き，その後上記押込み片につながる開閉部分を天面破断線に沿って裂くことで開封される（プッシュオープン）。切込みが形成されている撓み片が，上記押込み片を有する壁面部の内がわ面に沿って設けられているから，開閉部分につながる押込み片を上記撓み片の切込みに差込むことで，開封された紙箱の開口をリクローズしてその状態を簡易に保持することができる。リクローズを達成するために上記切込みが形成されている撓み片が上記押込み片を有する側壁面部の内がわ面に沿って設けられているが，上記撓み片は押込み片が紙箱の内がわに向けて押込まれたときに紙箱の内がわに向けて押されることで両がわに向けてそれぞれ撓みを生じる部分を有しているから，上記押込み片の押込み（開封の契機）が撓み片によって阻害されることはない。リクローズ構造を有しつつ，これまでの紙箱にはない新しい開封構造（プッシュオープン構造）を持つ紙箱が提供される。この発明による紙箱は，摘み部に爪ないし指を引っかけることを必要とするプルオープン構造を持つ従来の紙箱よりも確実に開封しやすい。
【００１７】
好ましくは上記撓み片が，上記押込み片の押込みが無くなったときに元の位置に戻る弾性を有している。上記押込み片の上記撓み片の切込みへの差込みが容易になる。
【００１８】
好ましくは，上記撓み片が，上記押込み片を有する側壁面部の一側がわから延びる第１の撓み半片と，上記押込み片を有する側壁面部の他側がわから延びる第２の撓み半片とから構成され，上記押込み片に対応する位置（上記押込み片を臨む位置）において，上記第１の撓み半片の先端部分と第２の撓み半片の先端部分とが互いに向き合って位置しており，上記先端部分を除いて上記第１および第２の撓み半片が上記押込み片を有する側壁面部の内がわ面に接着されている。押込み片を紙箱の内がわに向けて押すと，第１の撓み半片の先端部分と第２の撓み半片の先端部分が観音開き（ケースメント）のようにして互いに両がわの向き（離れる向き）に撓みを生じるから，押込み片の押込みが，第１，第２の撓み半片によって邪魔されることがない。
【００１９】
たとえば上記天面部が方形であれば，上記天面部の四辺にそれぞれ折り線を介して連設された第１〜第４の側壁面部分によって上記紙箱の壁面部を構成し，上記第１〜第４の側壁面部分のそれぞれに折り線を介してさらに連設された第１〜第４の底面部分によって紙箱の底面部を構成することができる。
【００２０】
この発明は，上述した紙箱を作成するための紙箱ブランクも提供する。この発明による紙箱ブランクは，天面部，底面部，および上記天面部の周縁と上記底面部の周縁とを結ぶ側壁面部を備え，上記天面部に形成された天面破断線に沿って上記天面部の少なくとも一部を裂くことによって上記天面部の少なくとも一部を開閉部分として閉鎖可能に開口させる紙箱をつくるためのブランクであって，上記天面破断線が形成された方形の天面部，上記天面部の四辺に折り線を介してそれぞれ連設された方形の第１〜第４の側壁面部分，ならびに上記第１〜第４の壁面部分のそれぞれに折り線を介してさらに連設され，先端部分が互いに接着される三角形の第１〜第４の底面部分を備え，上記第１の側壁面部分の一部が，上記第１の側壁面部分に形成された上記天面破断線に連続する側壁面破断線によって外形が規定される，上記天面部の開閉部分とつながる押込み片を構成しており，上記第１の側壁面部分に隣接する第２，第３の側壁面部分の同じがわの一側にそれぞれ折り線を介して連設されており，組み立てられるときに上記第１の側壁面部分の内がわ面に先端部分を除いて接着されかつその先端部分に上記開閉部分が閉鎖されるときに上記押込み片が差込まれる切込みが形成された第１および第２の撓み半片，ならびに上記第１の側壁面部分に隣接する第２，第３の側壁面部分の同じがわの他側にそれぞれ折り線を介して連設されており，組み立てられるときに上記第１の側壁面部分に対向する第４の側壁面部分の内がわ面に沿って設けられる第１および第２のフラップをさらに備えていることを特徴とする。
【００２１】
この発明による紙箱ブランクは，展開状態において，上記天面部がほぼ中心（中央）に据えられた，正方形に近い外形を持つことができる。紙箱の作成に用いられるブランクの面積の省面積化を図ることができる。
【００２２】
少なくとも上記第１および第２の撓み半片は弾性を有していることが好ましい。
【図面の簡単な説明】
【００２３】
【図１】紙箱ブランク（展開図）である。
【図２】図１の紙箱ブランクから組立てられる紙箱の斜視図である。
【図３】開封の様子を示す紙箱の斜視図である。
【図４】開封の様子を示す紙箱の一部破断拡大斜視図である。
【図５】開封後の紙箱の斜視図である。
【図６】リクローズの様子を示す紙箱の一部拡大斜視図である。
【図７】従来の紙箱の紙箱ブランク（展開図）である。
【図８】図７に示す紙箱ブランクから組立てられた紙箱の斜視図である。
【図９】従来の紙箱の紙箱ブランク（展開図）の他の例である。
【図１０】図９に示す紙箱ブランクから組立てられた紙箱の斜視図である。
【実施例】
【００２４】
図１から図６はこの発明の実施例による紙箱を示している。この実施例による紙箱１Ｂ（図２）は１枚の厚紙により作られる。図１は紙箱１Ｂを形成する型取り（型抜き）された型紙（以下，ブランクという）１Ａの展開図であり，紙箱１Ｂの外がわとなる面を見たものである。破線は紙箱１Ｂを作るときに山折りされる折り線を示している。好ましくは折り曲げを容易にするために，破線に沿って折り線加工または折罫加工が施される。図２は図１に示すブランク１Ａを折り曲げかつ後述する必要箇所を接着（糊付け）することにより完成した紙箱１Ｂを示している。
【００２５】
図１を参照して，紙箱１Ｂのブランク１Ａにおいて，方形の天面部11がほぼ中心（中央）に据えられている。天面部11の左右両側に側壁面部12Ｌ，12Ｒが折り線を介してそれぞれ互いに反対方向に連設されている。天面部11の前，後（正面，背面）がわには折り線を介して前側壁面部13および後側壁面部14がそれぞれ互いに反対方向に連設されている。左右側壁面部12Ｌ，12Ｒ，前側壁面部13および後側壁面部14は同一の方形の形状を持つ。左右側壁面部12Ｌ，12Ｒ，前側壁面部13および後側壁面部14の幅が紙箱１Ｂの高さを規定する。
【００２６】
天面部11に２本の破断線（鉤型の切れ目を間欠的に連続させたもの）ｍが形成されている。２本の破断線ｍは左右対称に形成されており，それらの一端は左右側壁面部12Ｌ，12Ｒのそれぞれとの境界の近くでかつ後側壁面部14との境界にも近い位置にあり，そこから前側壁面部13に向けて直線状に延び，途中で互いに近づく向きに斜めに延びて，他端は間隔をあけて前側壁面部13との境界にまで達している。また，天面部11には２本の破断線ｍの上記一端同士を結ぶようにして折り目ｆが形成されている。２本の破断線ｍ，２本の破断線ｍの一端同士を結ぶ折り目ｆ，および２本の破断線ｍの他端同士を結ぶ前側壁面部13との境界の一部によって囲まれる天面部11の範囲を，以下，開閉部分11Ａと呼ぶ。
【００２７】
角が丸められた概略方形の押込み片13ａが上記開閉部分11Ａに連続して前側壁面部13上に形成されている。押込み片13ａは前側壁面部13の一部であり，間欠的に設けられたつなぎ部ｔを持つ１本の切込みｋによってその外形が規定され，切込みｋの両端は天面部11に形成された２本の破断線ｍのそれぞれの他端とほぼ連続する位置にある。切込みｋとつなぎ部ｔとの組合せを，「間欠切込み」または「破断線」と表現することもできる。
【００２８】
左右側壁面部12Ｌ，12Ｒ，前側壁面部13および後側壁面部14に，角が丸められた概略三角形の同一形状の４つの底面部15が，天面部11から離れる向きに折り線を介してそれぞれ連設されている。互いに反対方向に延びる一対の底面部15の一方（図１では左側壁面部12Ｌにつながる底面部15と前側壁面部13につながる底面部15）の先端部分に糊部Ｎが設けられている。４つの底面部15のいずれについても，２つの斜辺のそれぞれが隣りの底面部15の斜辺と一直線上にある。
【００２９】
前側壁面部13の左右の両側に，左右側壁面部12Ｌ，12Ｒの一側端と折り線を介して連設された第１，第２の同一形状の撓み半片21Ｌ，21Ｒがそれぞれ設けられている。第１，第２の撓み半片21Ｌ，21Ｒのそれぞれと前側壁面部13との間には切込みが入れられており，第１，第２の撓み半片21Ｌ，21Ｒと前側壁面部13とは連続していない。第１，第２の撓み半片21Ｌ，21Ｒは，左右側壁面部12Ｌ，12Ｒとの境界および前側壁面部13との間の切込みを斜辺とする，概略三角形状の外形を持つ。第１，第２の撓み半片21Ｌ，21Ｒの底辺は，いずれもその両がわに位置する底面部15の斜辺と一直線上にある。
【００３０】
第１，第２の撓み半片21Ｌ，21Ｒの先端部分（左右側壁面部12Ｌ，12Ｒとの境界から最も遠い箇所）に弧状の差込用切込み21ａが形成されており，第１，第２の撓み半片21Ｌ，21Ｒの先端部分はこの差込用切込み21ａよって２つに分離されている。差込用切込み21ａよって２つに分離されている第１，第２の撓み半片21Ｌ，21Ｒの先端部分を，それぞれ内がわ押さえ部21Ａおよび外がわ押さえ部21Ｂと呼ぶ。
【００３１】
差込用切込み21ａが形成された先端部分を除いて，上記第１，第２の撓み半片21Ｌ，21Ｒにも糊部Ｎが設けられている。
【００３２】
後側壁面部13の左右の両側に，左右側壁面部12Ｌ，12Ｒの他側端と折り線を介して連設された第１，第２の同一形状の接着片22Ｌ，22Ｒがそれぞれ設けられている。第１，第２の接着片22Ｌ，22Ｒと後側壁面部14との間には切込みが入れられており，第１，第２の接着片22Ｌ，22Ｒと後側壁面部14とは連続していない。第１，第２の接着片22Ｌ，22Ｒは方形の一頂点の部分が斜めにカットされた外形を持つ。この斜めのカットが，第１，第２の接着片22Ｌ，22Ｒのそれぞれの両がわに位置する底面部15の斜辺と一直線上にある。第１，第２の接着片22Ｌ，22Ｒにも糊部Ｎが設けられている。
【００３３】
上記のように型取り（型抜き）されたブランク１Ａが折り線（破線）に沿って折り曲げられ，かつ糊部Ｎによって接着されることで，図２に示す形状の紙箱１Ｂとなる。
【００３４】
すなわち，左右側壁面部12Ｌ，12Ｒを天面部11に対してほぼ直角に折り曲げて起立させ，第１，第２の撓み半片21Ｌ，21Ｒ，および第１，第２の接着片22Ｌ，22Ｒを左右側壁面部12Ｌ，12Ｒに対してほぼ直角に折り曲げる。このとき第１，第２の撓み半片21Ｌ，21Ｒは，それらの先端部分が，わずかな間隙を持ってまたは互いに接して，互いに向き合う。前側壁面部13および後側壁面部14を天面部11に対してほぼ直角に折り曲げて起立させ，糊部Ｎによって前側壁面部13の内がわ面と第１，第２の撓み半片21Ｌ，21Ｒとを接着し，かつ糊部Ｎによって後側壁面部14と第１，第２の接着片22Ｌ，22Ｒとを接着する。ここまでの組み立てによって，底面が開口した紙箱が形成される。内容物（チョコレート，飴，ラムネ等）はこの底面開口から紙箱内に収容される。
【００３５】
最後に，４つの底面部15を折り線に沿ってほぼ直角に折り曲げ，重なり部分を底面部15に設けられた糊部Ｎによって接着することで，４つの底面部15によって上記底面開口が閉じられ，内容物を収容した紙箱１Ｂの組み立てが完成する。内容物を収容した紙箱１Ｂを透明フィルム（図示略）によって包装してもよい。
【００３６】
紙箱１Ｂは，天面部11の一部である開閉部分11Ａを裂くことで開封される。
【００３７】
図３を参照して，紙箱１Ｂを開封する場合，はじめに前側壁面部13の押込み片13ａが紙箱１Ｂの外がわから内がわに向けて押込まれる。押込み片13ａは，上述のように，開閉部分11Ａに連続する箇所を除いて間欠的に設けられたつなぎ部ｔによって前側壁面部13につながっているだけであるから（図１参照），押込み片13ａを指で軽く押込むだけでつなぎ部ｔが切れ，押込み片13ａは開閉部分11Ａとの境界で紙箱１Ｂの内がわに向けて折れ曲がる。
【００３８】
前側壁面部13の内がわには，上述したように，前側壁面部13と接着された第１，第２の撓み半片21Ｌ，21Ｒが位置している。ここで図４を参照して，図４は，押込み片13ａが押込まれているときの紙箱１Ｂの拡大図であって，押込み片13ａが押し込まれたときの上記第１，第２の撓み半片21Ｌ，21Ｒの様子を，押込み片13，天面部11等の図示を省略して示す一部破断斜視図である。第１，第２の撓み半片21Ｌ，21Ｒは，上述のように，その先端部分を除く箇所が糊部Ｎによって前側壁面部13の内がわ面と接着されており，先端部分は前側壁面部13と接着されていない。このため押込み片13を押込むと，押込み片13によって押されることで，第１，第２の撓み半片21Ｌ，21Ｒの先端部分は観音開きのようにして左右に互いに離れつつ撓みを生じる。このため前側壁面部13の内がわに位置する第１，第２の撓み半片21Ｌ，21Ｒが，押込み片13ａの内がわへの押込みを阻害することはない。なお，分かりやすくするために，図４では，第１，第２の撓み半片21Ｌ，21Ｒが，紙箱１Ｂの内がわかつ両がわの向きにそれぞれ撓んでいる様子が強調して描かれている。
【００３９】
押込み片13ａと開閉部分11Ａの先端（境界部分）を指で摘み，紙箱１Ｂの後ろ方向（背面方向）に押す。図５を参照して，天面部11に形成された破断線ｍに沿って開閉部分11Ａが天面部11から裂かれ，紙箱１Ｂの天面が開口する。破断線ｍに沿う破断は天面部11に形成された折り目ｆの位置で止まり，開閉部分11Ａは折り目ｆに沿って折り曲げることができる。また，第１，第２の撓み半片21Ｌ，21Ｒを含む紙箱１Ｂの全体は厚紙で構成されているから，押込み片13ａの押込みが無くなると，厚紙が持つ弾性（反発力）によって，第１，第２の撓み半片21Ｌ，21Ｒの先端部分の撓みは無くなり，第１，第２の撓み半片21Ｌ，21Ｒの先端部分はほぼ元の位置に復帰する。
【００４０】
図６を参照して，天面開口を再度閉じる（リクローズする）場合，押込み片13ａが第１，第２の撓み半片21Ｌ，21Ｒの先端部分に形成された差込用切込み21ａに差込まれる。押込み片13ａは内がわ押さえ部21Ａと外がわ押さえ部21Ｂとによって挟まれ，これによりリクローズ状態が簡易に保持される。
【００４１】
この実施例に記載の紙箱１Ｂは，その容量（高さ，幅，奥行き）を従来技術において説明した紙箱50Ｂ，60Ｂ（図８および図１０）の容量と同じにした場合，紙箱１Ｂを組立てるためのブランク１Ａ（図１）の面積については，図９のブランク60Ａと比較して約１０％の省面積化を図ることができる。
【００４２】
また，この実施例に記載の紙箱１Ｂは，従来技術において説明した紙箱50Ｂ，60Ｂ（図８および図１０）のように摘み部40を引っぱって開口させるもの（プルオープン）ではなく，押込み片13ａを紙箱１Ｂの内がわに押込んで開口させるもの（プッシュオープン）である。従来の紙箱にはない，開封が容易な斬新な開封構造も提供している。
【符号の説明】
【００４３】
１Ａ  ブランク
１Ｂ  紙箱
12  左右側壁面部
13  前側壁面部
13ａ  押込み片
14  後側壁面部
15  底面部
21Ｌ，21Ｒ  撓み半片（撓み片）
21ａ  差込用切込み
22Ｌ，22Ｒ  接着片（フラップ）
Ｎ  糊部
ｍ  破断線
ｋ  切込み
ｔ  つなぎ部
【図１】
0006019739.tif 000002
【図２】
0006019739.tif 000003
【図３】
0006019739.tif 000004
【図４】
0006019739.tif 000005
【図５】
0006019739.tif 000006
【図６】
0006019739.tif 000007
【図７】
0006019739.tif 000008
【図８】
0006019739.tif 000009
【図９】
0006019739.tif 000010
【図１０】
0006019739.tif 000011